(57)【要約】【課題】レンズ鏡筒における接点部材のマウント部への取り付けを容易にする。【解決手段】本発明のレンズ鏡筒（２）は、内部に撮影レンズ（４０）を保持する筒部材（６０，５１）と、前記筒部材（６０，５１）に設けられ、且つ前記撮影レンズ（４０）の光軸方向において、該撮影レンズ（４０）の射出側である筒部材（６０，５１）の端部に配置されるカバー部材（５９）と、通信用のレンズ側接点（５５）が設けられた接点部材（５６）と、を備え、前記接点部材（５６）は、前記筒部材（６０，５１）と前記カバー部材（５９）との挟持によって、前記筒部材（６０，５１）に固定されていること、を特徴とする。【選択図】図４
2010122618.tif 000002
【特許請求の範囲】
【請求項１】
内部に撮影レンズを保持する筒部材と、
前記筒部材に設けられ、且つ前記撮影レンズの光軸方向において、該撮影レンズの射出側である筒部材の端部に配置されるカバー部材と、
通信用のレンズ側接点が設けられた接点部材と、を備え、
前記接点部材は、前記筒部材と前記カバー部材との挟持によって、前記筒部材に固定されていること、
を特徴とするレンズ鏡筒。
【請求項２】
請求項１に記載のレンズ鏡筒であって、
前記接点部材は、前記筒部材の内面と当接する外面を有し、該外面の少なくとも１箇所に突部を備え、
前記筒部材は前記内面に、前記接点部材を載置する段部と、前記突部が挿入される凹部と、を有し、
前記接点部材は、前記突部を前記凹部に挿入した状態で前記段部と前記カバー部材の被写体側面との間に挟持されていること、
を特徴とするレンズ鏡筒。
【請求項３】
請求項２に記載のレンズ鏡筒であって、
前記突部は、接点部材の前記外面の略中央に設けられていること、
を特徴とするレンズ鏡筒。
【発明の詳細な説明】
【技術分野】
【０００１】
本発明は、カメラとの通信に使用される接点が設けられた接点部材を備えるレンズ鏡筒に関するものである。
【背景技術】
【０００２】
レンズ鏡筒において、カメラとの間の制御信号の送受信や、カメラからの電源の供給用に、接点が設けられているものがある。接点は一般に複数個備えられてユニット化された接点部材として一体的に形成されている。そしてこの接点部材は、レンズ側のマウント部にビスにより固定されている（例えば、特許文献１参照）。
【特許文献１】特許第３７０７１４９号公報
【発明の開示】
【発明が解決しようとする課題】
【０００３】
しかし、接点部材をビスによってレンズ側のマウント部に固定すると、ビス止めの工数が必要となるため取り付けが煩雑である。
【０００４】
本発明の課題は、レンズ鏡筒における接点部材のマウント部への取り付けを容易にすることである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、内部に撮影レンズ（４０）を保持する筒部材（６０，５１）と、前記筒部材（６０，５１）に設けられ、且つ前記撮影レンズ（４０）の光軸方向において、該撮影レンズ（４０）の射出側である筒部材（６０，５１）の端部に配置されるカバー部材（５９）と、通信用のレンズ側接点（５５）が設けられた接点部材（５６）と、を備え、前記接点部材（５６）は、前記筒部材（６０，５１）と前記カバー部材（５９）との挟持によって、前記筒部材（６０，５１）に固定されていること、を特徴とするレンズ鏡筒（２）である。
請求項２に記載の発明は、請求項１に記載のレンズ鏡筒（２）であって、前記接点部材（５６）は、前記筒部材（６０，５１）の内面（５１ｇ）と当接する外面（５６ｄ）を有し、該外面（５６ｄ）の少なくとも１箇所に突部（５６ｃ）を備え、前記筒部材（６０，５１）は前記内面（５１ｇ）に、前記接点部材（５６）を載置する段部（５１ｄ）と、前記突部（５６ｃ）が挿入される凹部（５１ｆ）と、を有し、前記接点部材（５６）は、前記突部（５６ｃ）を前記凹部（５１ｆ）に挿入した状態で前記段部（５１ｄ）と前記カバー部材（５９）の被写体側面との間に挟持されていること、を特徴とするレンズ鏡筒（２）である。
請求項３に記載の発明は、請求項２に記載のレンズ鏡筒（２）であって、前記突部（５６ｃ）は、接点部材（５６）の前記外面（５６ｄ）の略中央に設けられていること、を特徴とするレンズ鏡筒（２）である。
なお、符号を付して説明した構成は、適宜改良してもよく、また、少なくとも一部を他の構成物に代替してもよい。
【発明の効果】
【０００７】
本発明によれば、レンズ鏡筒における接点部材のマウント部への取り付けを容易にすることができる。
【発明を実施するための最良の形態】
【０００８】
以下、図面等を参照して、本発明の実施形態について説明する。なお、以下に示す各図には、説明と理解を容易にするために、ＸＹＺ直交座標系を設けた。この座標系では、撮影者が光軸Ａを水平として横長の画像を撮影する場合のカメラの位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
【０００９】
図１は、カメラ（カメラボディ）１と、そのカメラ１に結合された本発明の実施形態に係るレンズ鏡筒２とを含むカメラシステムの縦断面図である。図２は、図１に示すレンズ鏡筒２の背面図であり、図３は、図１に示すカメラ１の正面図である。図１及び図３に示すように、カメラ１は、筐体１０、ボディ側マウント部２０を備えている。筐体１０は、カメラ１の外観面を形成する部分であり、例えば、金属材料や合成樹脂材料によって略直方体の箱形に形成されている。
【００１０】
筐体１０の内部には、ＣＣＤ、ＣＭＯＳ等の撮像素子１２が配置され、ＣＣＤ押え板１３に支持されるＣＣＤケース１４内に装着されている。このＣＣＤケース１４内には、撮像素子１２に加えてカバーガラス１５及びローパスフィルタ１６も設けられている。筐体１０の前面部には、図３において正面から見て円形の開口部（以下、筐体開口部１１と称する）が形成されている。なお、カメラ１の前面部とは、カメラ１の各面のうち、撮影時に被写体に対向する面の部分を意味するものとする。
【００１１】
ボディ側マウント部２０は、カメラ１とレンズ鏡筒２とを接続するマウント機構のカメラ側を形成するものである。マウント部２０は、マウント部２０のベースとなるマウント基部２１、マウント基部２１の外周を覆う前飾り環２２、前飾り環２２から内周側に突出する爪部２３、基準面を規定するボディ側マウント嵌合板２４、レンズ着脱ピン２６（図３に図示）、電気接点である複数の接点ピン２７、接点ピン２７を保持する接点ブロック２８等を備えたバヨネット式のマウントである。
【００１２】
マウント基部２１は、例えば、黒色系の色の合成樹脂材料によって形成された部材であり、筐体１０の筐体開口部１１の内側面に固定されている。マウント基部２１は、筐体１０の正面に形成された筐体開口部１１の周縁部から、その内径側につば状に突き出して設けられている。マウント基部２１の中央部には、被写体光が通過するマウント開口部２１ａが形成されている。このマウント開口部２１ａは、円形に形成されており、固定式の絞り部として機能させることもできる。また、レンズ鏡筒２からカメラ１に向けて進行する被写体光は、このマウント開口部２１ａを通過して撮像素子１２に導かれる。
【００１３】
前飾り環２２は、筐体開口部１１の周縁部に沿って延在する円環状の部材であり、例えば金属材料によって形成されている。前飾り環２２は、マウント基部２１（図３に図示）にビスＶ１によって固定されている。前飾り環２２は、筐体開口部１１の周縁部を外部から視認できない状態とすることによって、カメラ１の外観品質を向上させる機能を有する。前飾り環２２とマウント基部２１との間には円周方向に離間して３個のマウント当接バネ２２ａが設けられていて、レンズ側マウント面をボディ側に押し付ける、もしくは引き込む構造となっている。
【００１４】
爪部２３は、カメラ１にレンズ鏡筒２が装着された状態において、後述するレンズ鏡筒２のマウント部５０に備えられた爪部５２（図２参照）と機械的に係合することによって、カメラ１とレンズ鏡筒２との光軸方向への相対移動を制限するものである。爪部２３は、前飾り環２２の内周面から内径側に突き出して形成され、光軸周りに略等しい間隔で、例えば、３つが設けられている。
【００１５】
ボディ側マウント嵌合板２４は、例えば、金属材料によって円環状に形成された板状の部材であり、マウント基部２１にビスＶ２によって固定されている。このボディ側マウント嵌合板２４は、図３において正面から見て前飾り環２２の内径側に配置されている。ボディ側マウント嵌合板２４は、筐体１０と一体でもよいが、形状精度を上げるため、本実施形態では円環状の別部材となっている。
【００１６】
ボディ側マウント嵌合板２４における軸方向において被写体側を向いた面は、フランジバック長を規定する基準面となるマウント面２４ａとして機能する。また、ボディ側マウント嵌合板２４の内周面２４ｂは、後述するレンズ鏡筒２に設けられた嵌合壁部５７の外周面５７ａと係合してレンズ鏡筒２の径方向の位置を位置決めを行う。
【００１７】
図３に示すレンズ着脱ピン２６は、ボディ側マウント嵌合板２４から光軸方向被写体側に突き出して形成されている。このレンズ着脱ピン２６は、レンズ鏡筒２がカメラ１に装着された状態で、レンズ鏡筒２のマウント部５０に設けられたピン穴５４（図２参照）に嵌合することによって、レンズ鏡筒２とカメラ１との光軸周りの相対回転を制限する。
【００１８】
レンズ着脱ピン２６は、マウント基部２１から突出したレンズ鏡筒ロック位置と、マウント基部２１に収容されるレンズ鏡筒アンロック位置との間を移動可能になっており、通常、図示しないバネによってロック位置に付勢されている。筐体１０の前面部には、レンズ着脱ボタン２６ａが設けられており、このレンズ着脱ボタン２６ａを押し込むことによってレンズ着脱ピン２６をバネに抗してアンロック位置に移動させることができる。
【００１９】
接点ピン２７は、カメラ１とレンズ鏡筒２とを電気的に接続するものである。接点ピン２７は、マウント基部２１のマウント開口部２１ａの周縁部において、その周縁部に沿って湾曲した接点ブロック２８内に配置されている。接点ピン２７は、複数（本実施形態では、例えば、９個）が隣接して配列され、押え板２９によって接点ブロック２８に固定されている。後述するが、レンズ鏡筒２がカメラ１に装着された状態で、レンズ鏡筒２のマウント部５０に備えられた電気接点５５（図２参照）に接触する。カメラ１は、これらの接点の一部を用いてレンズ鏡筒２に電力を供給し、接点の他部を用いてレンズ鏡筒２と電気通信を行う。
【００２０】
接点ピン２７は、上述のマウント面２４ａよりも内径側の領域から光軸方向の被写体側に突き出して設けられている。接点ピン２７は、マウント基部２１から突出する突出位置と、マウント基部２１に収容される収容位置との間を移動可能な可動接点であり、通常、接点ブロック２８内において押え板２９と各接点ピン２７との間に設けられたバネ３０によって突出位置に付勢されている。接点ピン２７は、バネ３０を介してフレキシブルプリント回路（ＦＰＣ）３１に接続され、ＦＰＣ３１は、ＣＰＵ３４を含むボディ側実装基板３２に設けられたコネクタ３３に接続されている。
【００２１】
次に、レンズ鏡筒２の構成について図１及び図２を参照して説明する。レンズ鏡筒２は、カメラ１に着脱可能であって、撮影レンズ４０、マウント部５０、鏡筒本体部６０を備えている。鏡筒本体部６０は、例えば、合成樹脂材料によって円筒形状に形成されたレンズ鏡筒２の筐体である。撮影レンズ４０は、カメラ１に備えられた撮像素子１２に被写体光を導く光学系を構成しており、鏡筒本体部６０の内部に絞り４１と共に収容されている。撮影レンズ４０は、複数のレンズ群によって形成され、ズームレンズやフォーカスレンズを含んでいる。
【００２２】
レンズ側マウント部５０は、カメラ１とレンズ鏡筒２とを締結するマウント機構のレンズ側を形成するものである。なお、図１を含む各図面に示されたレンズ鏡筒２は、カメラ１に装着可能なレンズ鏡筒の一例であり、カメラ１は、このレンズ鏡筒２と実質的に同じ構成のマウント部を備えた複数種類のレンズ鏡筒が選択的に装着可能になっている。レンズ鏡筒２のマウント部５０は、マウント基部５１、及びその中央に配置された後部カバー５９とを有する。後部カバー５９は、ビスＶ３によりマウント基部５１に取り付けられ、被写体光を通過させるための開口５９ａを有している。
【００２３】
マウント基部５１は、レンズ鏡筒２をカメラ１に装着した場合に光軸方向においてカメラ側にある鏡筒本体部６０の開口部を覆う環状の部分であり、爪部５２、マウント面５３、ピン穴５４、電気接点５５、嵌合壁部５７を備えている（ピン穴５４、電気接点５５については、図２参照）。
【００２４】
マウント面５３は、レンズ鏡筒２をカメラ１に装着した場合に光軸方向においてカメラ側を向いた円環状の面であり、その円環の中心軸線は、光軸Ａと略一致している。マウント面５３は、レンズ鏡筒２がカメラ１に装着された状態において、カメラ１のマウント面２４ａと当接し、レンズ鏡筒２における基準面となる。
【００２５】
爪部５２は、マウント面５３の外周面からレンズ鏡筒２の径方向外側に突き出して形成されている。爪部５２は、光軸周りに略等しい間隔で、例えば、３つが設けられている。爪部５２は、光軸Ａを中心として周方向に延在して設けられ、その先端面は、円筒面の一部（円弧面）を形成している。ピン穴５４は、カメラ１のマウント部２０に備えられた上述のレンズ着脱ピン２６が挿入される部分であり、光軸方向においてカメラ側を向いたマウント基部５１の面に形成されている。
【００２６】
電気接点５５は、マウント基部５１に固定された固定接点であり、レンズ鏡筒２がカメラ１に装着された状態において、カメラ１のマウント部２０に備えられた接点ピン２７に接触する位置に設けられている。電気接点５５は、インサートモールドにより形成され、嵌合壁部５７の内径側に設けられた接点ブロック５６内に配置されており、光軸Ａを中心として周方向に複数個（本実施形態では、例えば、９個）が配列される。
【００２７】
接点ブロック５６は、カメラ１とレンズ鏡筒２とが接続された状態で、前述したカメラ１のマウント部２０のマウント基部２１に設けられた接点ブロック２８に対峙する接点収容部分であり、光軸Ａを中心として周方向に延在している。接点ブロック５６に設けられた各電気接点５５は、例えばフレキシブルプリント回路（ＦＰＣ）５８を介して、レンズ側実装基板６１に設けられたコネクタ６２に接続されている。
【００２８】
嵌合壁部５７は、マウント面５３の内周側において電気接点５５よりもボディ側に突出するようにして円環状に形成された部分である。嵌合壁部５７の外周面５７ａは、上述のように、レンズ鏡筒２がカメラ１に装着された状態において、カメラ１のボディ側マウント嵌合板２４の内周面２４ｂに当接し、レンズ鏡筒２とカメラ１との径方向の相対移動を制限する。そして、嵌合壁部５７の外周面５７ａとボディ側マウント嵌合板２４の内周面２４ｂとにより、カメラ１に対するレンズ鏡筒２の径方向の装着位置を規定する位置決めが行われる。
【００２９】
次に、接点ブロック５６及び後部カバー５９について詳細に説明する。図４は、レンズ鏡筒２の一部を分解して示す縦断面図であり、図５は、後部カバー５９及び接点ブロック５６を取り除いたレンズ側マウント部５０の背面図であり、図６（ａ）は後部カバー５９の略平面図、（ｂ）は接点ブロック５６の略斜視図である。
【００３０】
図６（ａ）に示すように、後部カバー５９は、扇形の切欠き部５９ｂを有する点を除いて全体的に環状に板部材から形成されており、外周縁５９ｃ及び内周縁５９ｄを有している。切欠き部５９ｂは、周方向に延びる弧状面５９ｅと、該弧状面の両端から半径方向の外側に延びる２つの径方向面５９ｆとにより画成されている。また、後部カバー５９は、該後部カバー５９をレンズ側マウント基部５１に取り付けるためのビスＶ３（図１参照）を受け入れるため、円周方向に離間して配置された３つの穴５９ｇを有している。
【００３１】
レンズ側のマウント基部５１には、図５に示すように、その内面５１ｇにおける径方向内縁部から半径方向の内側に延びる３つの耳状部５１ａ１，５１ａ２，５１ａ３が円周方向に均等に離間して配置されている。各耳状部５１ａ１，５１ａ２，５１ａ３は、上述したビスＶ３のためのねじ穴５１ｂを有している。また、レンズ側マウント基部５１は、嵌合壁部５７の半径方向内側、即ち、径方向内縁部において、耳状部５１ａ２から耳状部５１ａ１までと、耳状部５１ａ１から耳状部５１ａ３まで延びる受け面５１ｃを有すると共に、耳状部５１ａ３と耳状部５１ａ２まで中央部において一旦切断されて延びる受け面５１ｄを有する。後者の受け面５１ｄは、図４に符号ｘで示すように、受け面５１ｃよりも光軸方向の反カメラボディ側に後退するように形成されている。また、上述した耳状部５１ａ２、５１ａ３には、後述する接点ブロック５６の耳状部を受けるための受け面５１ｅが形成されている。
【００３２】
一方、接点ブロック５６は、図６（ｂ）に示すように、後部カバー５９にある切欠き部５９ｂに対応してほぼ弧状に湾曲した形状を有している。接点ブロック５６は、その外面５６ｄにおける周方向の両端に、前述した耳状部５１ａ２、５１ａ３の受け面５１ｅに載ることができる耳状部５６ａを有すると共に、径方向の外側面にある段部５６ｂと径方向の内側面にある段部５６ｄとを有する。段部５６ｂがマウント基部５１の受け面５１ｄに載り、段部５６ｄに後部カバー５９の径方向中間の弧状面５９ｅが載るようになっている。この段部５６ｂと段部５７ｄとの幅は、上述の図４に示す距離ｘと略等しい。
【００３３】
また、接点ブロック５６は、半径方向外側の円周面上に、半径方向外側に延びる突部５６ｃを有している。突部５６ｃは、接点ブロック５６の円周方向の中央に１個形成されているのが好ましいが、例えば、複数個設けられていてもよく、また、接点ブロック５６の外周の全長にわたり設けられていてもよい。図５に示すように、マウント基部５１は、耳状部５１ａ２、５１ａ３の間の所定位置に上述の突部５６ｃに対応する凹部５１ｆを有している。凹部５１ｆの設置位置、形状及び個数等は突部５６ｃに対応している。
【００３４】
レンズ鏡筒２のマウント基部５１への接点ブロック５６の組み付けは、次のような手順で行われる。図４及び図５に示すように、後部カバー５９を取り付ける前のレンズ側マウント基部５１に、図６（ｂ）の接点ブロック５６を、その突部５６ｃがマウント基部５１に形成された凹部５１ｆに嵌るようにしながら、且つ接点ブロック５６の段部５６ｂがマウント基部５１の受け面５１ｄと当接するように配置する。その際、接点ブロック５６の耳状部５６ａもマウント基部５１の耳状部５１ａ２及び５１ａ３に設けられた受け面５１ｅと当接させる。これにより接点ブロック５６がマウント基部５１の所定位置を容易に位置決めすることができる。
【００３５】
その後、図６（ａ）に示す後部カバー５９を、その外周縁５９ｃをマウント基部５１の受け面５１ｃに載せると共に、その切欠き部５９ｂの弧状面５９ｅをマウント基部５１に装着された接点ブロック５６の段部５６ｄに載置する。このようにして後部カバー５９をマウント基部５１に位置決めし、３個のビスＶ３を後部カバー５９にある穴５９ｇを通しマウント基部５１の耳状部５１ａ１〜５１ａ３に設けられたねじ穴５１ｂに螺合する。このようにして接点ブロック５６及び後部カバー５９がレンズ鏡筒２のマウント基部５１に取り付けられる。
【００３６】
接点ブロック５６及び後部カバー５９が取り付けられたレンズ鏡筒２をカメラ１に装着する際、使用者は、まずカメラ１とレンズ鏡筒２とを光軸方向に相対移動させて接近させる。そして、カメラ１の前飾り環２２の内径側にレンズ鏡筒２のマウント基部５１を挿入して、互いのマウント面２４ａ、５３同士を当接させる。このとき、レンズ鏡筒２の各爪部５２は、カメラ１の各爪部２３と爪部２３との間に配置する。
【００３７】
次いで、爪部２３、５２同士の光軸周りの位置が重なるようにレンズ鏡筒２とカメラ１とを光軸周りに相対回転させる。これによって、マウント当接バネ２２ａによりレンズ鏡筒２がカメラ側に引き込まれると共に、レンズ着脱ピン２６がピン穴５４に嵌合し、カメラ１とレンズ鏡筒２との締結が完了する。また、この相対回転によって、接点ピン２７、及び電気接点５５は接触状態となる。
【００３８】
このレンズ鏡筒２のカメラ１への装着時において、レンズ鏡筒２のマウント面５３と、カメラ１のマウント面２４ａとが当接し、レンズ鏡筒２のカメラ１に対する光軸方向の位置決めが行われる。さらに、ボディ側マウント嵌合板２４の内周面２４ｂと、レンズ鏡筒２に設けられた嵌合壁部５７の外周面５７ａとが係合してレンズ鏡筒２のカメラ１に対する径方向の位置決めが行われる。
【００３９】
レンズ鏡筒２をカメラ１から取り外す場合には、図３に示されたレンズ着脱ボタン２６ａを光軸方向に押し込んで、レンズ着脱ピン２６を図２に示されたピン穴５４から解放する。そして、レンズ鏡筒２をカメラ１に対して回転し、爪部２３、５２同士の係合を解除し、レンズ鏡筒２をカメラから引き離す。
【００４０】
以上、本実施形態によると、以下の効果を有する。
（１）接点ブロック５６は、レンズ側マウント基部５１の所定位置にまず仮装着され、その後、後部カバー５９をレンズ側マウント基部５１上に載置し、後部カバー５９とマウント基部５１とをねじ止めする。これによって接点ブロック５６は、マウント基部５１及び後部カバー５９の間に挟持されレンズ側マウント基部５１に固定される。接点ブロック５６自体の仮装着にはビスを使用しないので、ビス止めの工数を減少させ、強度を増大させ、コストの低減を可能とし、しかも設計の自由度を増すことができる。
（２）接点ブロック５６は、レンズ側マウント基部５１の内面と当接する外面に１つの突部５６ｃを備え、該レンズ側マウント基部５１は、その内面に、接点ブロック５６を載置する受け面５１ｄと、突部５６ｃが挿入される凹部５１ｆとを有しており、接点ブロック５６は、突部５６ｃを凹部５１ｆに挿入した状態で受け面５１ｄと後部カバー５９との間に挟持される。そのため、レンズ側マウント基部５１への接点ブロック５６の装着が容易になり、また、接点ブロック５６の取外しも容易になる。
（３）突部５６ｃが接点ブロック５６の径方向外側の周面の略中央に設けられているため、接点ブロック５６の装着時の姿勢が安定し、組立作業がより容易になる。
（４）接点ブロック５６の径方向内側の周面に弧状の段部５６ｄを形成し、この段部５６ｄに、切欠き部５９ｂを画定する後部カバー５９の径方向中間の弧状面５９ｅが載るように構成したため、後部カバー５９による挟持をより安定的に且つより確実にすることができる。
【００４１】
以上、説明した実施形態に限定されることなく、以下に示すような種々の変形や変更が可能であり、それらも本発明の範囲内である。
（１）本実施形態では、接点ブロック５６には角形の突部５６ｃを１個形成したが、これに限らず、種々の形状とすることができ、複数個設けてもよい。
（２）また、本実施形態では、接点ブロック５６は円周方向に弧状に湾曲している。しかし、これに限らず、接点ブロック５６は所要の電気接点を設けることができれば任意の形状でもよい。
なお、実施形態及び変形形態は、適宜組み合わせて用いることもできるが、詳細な説明は省略する。また、本発明は以上説明した実施形態によって限定されることはない。
【図面の簡単な説明】
【００４２】
【図１】本発明の実施形態に係るレンズ鏡筒と結合されたカメラボディを含むカメラシステムの縦断面図である。
【図２】図１に示すレンズ鏡筒の背面図である。
【図３】図１に示すカメラボディの正面図である。
【図４】図１に示したレンズ鏡筒の一部を分解して示す縦断面図である。
【図５】後部カバー及び接点ブロックを取り除いたレンズ側バヨネットマウントの背面図である。
【図６】（ａ）は後部カバーの略平面図、（ｂ）は接点ブロックの略斜視図である。
【符号の説明】
【００４３】
２：レンズ鏡筒、４０：撮影レンズ、５０：マウント部、５１：マウント基部、５１ｃ：受け面、５１ｄ：受け面、５１ｅ：受け面、５１ｆ：凹部、５１ｇ：内面、５５：電気接点、５６：接点ブロック、５６ｂ：段部、５６ｃ：突部、５６ｄ：外面、５９：後部カバー、６０：鏡筒本体部
【図１】
2010122618.tif 000003
【図２】
2010122618.tif 000004
【図３】
2010122618.tif 000005
【図４】
2010122618.tif 000006
【図５】
2010122618.tif 000007
【図６】
2010122618.tif 000008